(57)【要約】【課題】利用者の日常の生活行動に即したより正確な健康管理を可能にし、より多くの利用者が利用できるようにする。【解決手段】利用者端末１において、その移動速度から日常の生活行動イベントの種類を判定して当該イベントの行動履歴情報をデータセンタ６に伝送する。また医療機器２、栄養価測定機器３及び運動機器４で得られた利用者に関する各測定データを含む行動履歴情報を利用者端末１からデータセンタ５に伝送する。そしてデータセンタ６において、上記伝送された各イベントの行動履歴情報を利用者ごとに整理して蓄積し、利用者端末１又は閲覧者端末５からの閲覧要求に対応する統合方針情報をもとに該当する行動履歴情報を抽出して健康管理データを作成し、要求元の端末へ送信するようにしたものである。【選択図】    図１
2004240862.tif 000002
【特許請求の範囲】
【請求項１】
利用者が所有する携帯端末を通信ネットワークを介して管理装置に接続可能にしたシステムを利用する健康管理方法であって、
前記携帯端末において、前記利用者の日常の生活行動のイベントごとにその種別と内容を含む行動データを作成する過程と、
前記作成された行動データを利用者の識別情報と共に前記携帯端末から前記管理装置へ伝送する過程と、
前記管理装置において、前記携帯端末から伝送された行動データを利用者に対応付けて蓄積し、この蓄積された行動データをもとに前記利用者に係わる健康管理データを作成する過程と
を備えることを特徴とする通信ネットワークを利用した健康管理方法。
【請求項２】
前記行動データを作成する過程は、
利用者の日常の生活行動のイベントごとにその行動の速度を検出する過程と、
前記検出された行動の速度をもとに当該生活行動イベントの種別を判定する過程と、
前記判定されたイベント種別と行動時間を前記行動データに含める過程と
を備えることを特徴とする請求項１記載の通信ネットワークを利用した健康管理方法。
【請求項３】
前記行動データを作成する過程は、
前記判定されたイベント種別と、当該イベントの行動時間と、予め用意されているイベント種別ごとの単位消費カロリ量とから、前記イベントによる消費カロリ量を算出する過程と、
前記算出された消費カロリ量を前記行動データにさらに含める過程と
を、さらに備えることを特徴とする請求項２記載の通信ネットワークを利用した健康管理方法。
【請求項４】
利用者が所有する携帯端末、及び前記利用者が日常の生活行動以外の特定の行動のために利用する施設の設備機器を、通信ネットワークを介して管理装置に接続可能にしたシステムを利用する健康管理方法であって、
前記携帯端末において、前記利用者の日常の生活行動のイベントごとにその種別と内容を含む第１の行動データを作成する過程と、
前記作成された第１の行動データを、利用者の識別情報と共に前記携帯端末から前記管理装置へ伝送する過程と、
前記携帯端末及び前記設備機器の少なくとも一方において、前記特定の行動のイベントごとにその種別と内容を含む第２の行動データを作成する過程と、
前記作成された第２の行動データを、利用者の識別情報と共に、前記携帯端末及び前記設備機器の少なくとも一方から前記管理装置へ伝送する過程と、
前記伝送された第１及び第２の行動データを利用者に対応付けてそれぞれ蓄積し、前記蓄積された第１及び第２の行動データをもとに前記利用者に係わる健康管理データを作成する過程と
を備えることを特徴とする通信ネットワークを利用した健康管理方法。
【請求項５】
前記第２の行動データを作成する過程は、
特定の行動イベントが運動の場合に、利用者の運動メニュー及び運動計測データに関する情報を、携帯端末が運動施設の設備機器から取得する過程と、
この取得された情報と、予め用意されている運動メニューごとの単位消費カロリ量とから消費カロリ量を算出する過程と、
この算出された消費カロリ量を前記取得された情報と共に第２の行動データに含める過程と
を備えることを特徴とする請求項４記載の通信ネットワークを利用した健康管理方法。
【請求項６】
前記第２の行動データを作成する過程は、
特定の行動イベントが医療検診の場合に、利用者の検診メニュー及び検診データに関する情報を、携帯端末が医療施設の設備機器から取得する過程と、
この取得された情報を前記第２の行動データを含める過程と
を備えることを特徴とする請求項４又は５記載の通信ネットワークを利用した健康管理方法。
【請求項７】
前記第２の行動データを作成する過程は、
行動イベントが食事の場合に、利用者の食事メニューに対応する摂取カロリ量及び栄養価に関する情報を、携帯端末が食事施設の設備機器から取得する過程と、
この取得された情報を前記第２の行動データに含める過程と
を備えることを特徴とする請求項４乃至６のいずれかに記載の通信ネットワークを利用した健康管理方法。
【請求項８】
前記利用者の携帯端末或いは当該利用者の健康管理者が所有する端末から前記管理装置に対し開示要求を伝送する過程と、
前記伝送された開示要求の内容に応じた健康管理データを要求元の端末へ通知する過程と
を、さらに備えることを特徴とする請求項１乃至７のいずれかに記載の通信ネットワークを利用した健康管理方法。
【請求項９】
前記開示要求元の端末への健康管理データの送信を契機に、予め記憶してある利用者の決済情報をもとに該当する利用者に対する利用料金の課金処理を行う過程を、さらに備えることを特徴とする請求項８記載の通信ネットワークを利用した健康管理方法。
【請求項１０】
利用者が所有する携帯端末に対し通信ネットワークを介して接続可能な管理装置であって、
前記利用者の携帯端末から、利用者の日常の生活行動のイベントごとに作成される行動データを当該利用者の識別情報と共に収集する手段と、
前記収集された行動データを利用者に対応付けて蓄積し、前記蓄積された行動データをもとに前記利用者に係わる健康管理データを作成する手段と
を具備することを特徴とする管理装置。
【請求項１１】
利用者が所有する携帯端末、及び前記利用者が日常の生活行動以外の特定の行動のために利用する施設の設備機器に対し、通信ネットワークを介して接続可能な管理装置であって、
前記利用者の携帯端末から、利用者の日常の生活行動のイベントごとに作成される第１の行動データを当該利用者の識別情報と共に収集する手段と、
前記利用者の携帯端末及び前記設備機器の少なくとも一方から、前記特定の行動のイベントごとに作成される第２の行動データを当該利用者の識別情報と共に収集する手段と、
前記収集された第１及び第２の行動データを利用者に対応付けてそれぞれ蓄積し、前記蓄積された第１及び第２の行動データをもとに前記利用者に係わる健康管理データを作成する手段と
を具備することを特徴とする管理装置。
【請求項１２】
前記健康管理データを作成する手段は、
前記利用者の携帯端末或いは当該利用者の健康管理者が所有する端末から伝送される開示要求を受信する手段と、
前記受信された開示要求の内容を判別する手段と、
前記判別された開示要求の内容に応じ、前記蓄積された行動データの中から該当するデータを抽出して集計処理することにより健康管理データを作成する手段と、
前記作成された健康管理データを開示要求元の端末へ送信する手段と
を備えることを特徴とする請求項１０又は１１記載の管理装置。
【請求項１３】
前記作成された健康管理データの内容に応じて利用者に対するアドバイス情報を作成し、この作成されたアドバイス情報を前記健康管理データに付加する手段を、さらに具備することを特徴とする請求項１０乃至１２のいずれかに記載の管理装置。
【請求項１４】
前記開示要求元への健康管理データの送信を契機に、予め記憶してある利用者の決済情報をもとに該当する利用者に対する利用料金の課金処理を行う手段を、さらに具備することを特徴とする請求項１０乃至１３のいずれかに記載の管理装置。
【発明の詳細な説明】
【０００１】
【発明の属する技術分野】
この発明は、通信ネットワークを利用して利用者の健康管理を行う健康管理方法と、この方法を実施するための管理装置に関する。
【０００２】
【従来の技術】
過酷な生活環境やストレスに晒されることの多い現代人にとって健康管理は重要な課題の一つであり、従来よりこの健康管理を効率的に行うための種々提案がなされている。
【０００３】
例えば、携帯端末にＧＰＳ（Ｇｌｏｂａｌ  Ｐｏｓｉｔｉｏｎｉｎｇ  Ｓｙｓｔｅｍ）受信機能を組み込んで位置情報を検出し、この検出された位置情報と歩幅とから歩数を計算するもの（例えば特許文献１を参照）や、携帯端末に生体計測器を組み込んで消費カロリを計算するもの（例えば特許文献２を参照）、さらには生体計測器とＧＰＳ受信機能の両方を携帯端末に組み込み、消費カロリの計算を行って消費カロリが不足している場合には徒歩を前提とした経路探索をして運動を促すもの（例えば特許文献３を参照）がある。
【０００４】
また、携帯端末にバーコード読取装置を組み込み、食品のカロリ量や栄養素分布をバーコード化した情報を上記読取装置により読み取って管理装置に送信し、管理装置で栄養管理を行うもの（例えば特許文献４を参照）や、上記歩数算出機能と上記食品のカロリ量や栄養素分布の読取機能とを組み合わせることで、徒歩を前提とした健康アドバイス情報を携帯端末に送信するもの（例えば特許文献５を参照）、さらにはかかりつけの医者にネットワークを介して普段の生活における健康アドバイスを仰ぐもの（例えば特許文献６を参照）等も知られている。
【０００５】
【特許文献１】
特開２００２−１３５８３９
【特許文献２】
特開２００１−０７８９６８
【特許文献３】
特開平１０−１４８５３９
【特許文献４】
特開２０００−３２２４０４
【特許文献５】
特開２００２−２４４０４６
【特許文献６】
特開２００２−３３８０７１。
【０００６】
【発明が解決しようとする課題】
ところが、これらの従来提案されている技術はいずれも、運動、食事或いは医療等の利用者にとっては特定の行動イベントに係わる情報を、携帯端末又は管理装置で収集し処理することにより利用者の健康管理データを生成するものである。このため、特に運動や医療検診等を定期的に行っていない利用者にとっては、上記システムは利用し難いものになっている。また、運動や医療検診等の特定の行動イベントを意識的に行っている利用者にとっても、特定の行動イベントに係わる情報に基づく健康管理データしか得られないため、日常生活に即した正確な健康判断を行い難い。
【０００７】
この発明は上記事情に着目してなされたもので、その目的とするところは、利用者の日常の生活行動に即したより正確な健康管理を可能にし、より多くの利用者が利用できるようにした、通信ネットワークを利用する健康管理方法及び管理装置を提供することにある。
【０００８】
【課題を解決するための手段】
上記目的を達成するために第１の発明は、利用者が所有する携帯端末において、利用者の日常の生活行動のイベントごとにその種別と内容を含む行動データを作成し、この作成された行動データを利用者の識別情報と共に通信ネットワークを介して管理装置へ伝送する。そして、管理装置において、携帯端末から伝送された行動データを利用者に対応付けて蓄積し、この蓄積された行動データをもとに利用者に係わる健康管理データを作成するようにしたものである。
【０００９】
したがって第１の発明によれば、利用者の日常の生活行動における行動データが携帯端末により自動的に作成されて管理装置に送られ、管理装置で蓄積されて健康管理データの作成に使用される。このため、特に運動や医療検診等を定期的に行っていない利用者に対しても、利用者の日常の生活行動に即したより正確な健康管理データを作成してアドバイスすることが可能となる。
【００１０】
上記行動データの作成は、例えば利用者の日常の生活行動のイベントごとにその行動の速度を検出し、この検出された行動の速度をもとに当該生活行動イベントの種別を判定する。そして、この判定されたイベント種別と行動時間を行動データに含めることにより行われる。このようにすると、「歩行」や「急ぎ足」等といった日常の生活行動におけるイベントの種別を自動的かつ正確に判別することが可能となる。
【００１１】
また、上記行動データの作成に際し、上記判定されたイベント種別と、当該イベントの行動時間と、予め用意されているイベント種別ごとの単位消費カロリ量とから、イベントによる消費カロリ量を算出し、この算出された消費カロリ量を行動データにさらに含めるようにしてもよい。このようにすると、利用者ごとの単位消費カロリ量に基づいた、より正確なカロリ管理が可能となる。
【００１２】
上記目的を達成するために第２の発明は、利用者の携帯端末において、利用者の日常の生活行動のイベントごとにその種別と内容を含む第１の行動データを作成して、この作成された第１の行動データを利用者の識別情報と共に管理装置へ伝送する。またそれと共に、上記携帯端末、及び利用者が日常の生活行動以外の特定の行動のために利用する施設の設備機器の少なくとも一方において、上記特定の行動のイベントごとにその種別と内容を含む第２の行動データを作成して、この作成された第２の行動データを利用者の識別情報と共に管理装置へ伝送する。そして、管理装置において、上記伝送された第１及び第２の行動データを利用者に対応付けてそれぞれ蓄積し、この蓄積された第１及び第２の行動データをもとに利用者に係わる健康管理データを作成するようにしたものである。
【００１３】
したがって第２の発明によれば、利用者の日常の生活行動イベントにおける行動データと、運動や医療検診等の特定の行動イベントにおける行動データが、それぞれ自動的に作成されて管理装置に送られ、管理装置で蓄積されて健康管理データの作成に使用される。このため、特に運動や医療検診等を定期的に行っていない利用者に対して、利用者の日常の生活行動に即したより正確な健康管理データを作成してアドバイスすることが可能となり、さらに運動や医療検診等の特定の行動イベントを意識的に行っている利用者に対しては、この特定の行動イベントによる行動データも加味して、より一層正確な健康管理データを作成しアドバイスすることが可能となる。
【００１４】
また、特定の行動イベントによる行動データは、携帯端末だけでなく、必要に応じて例えばスポーツジムの運動能力測定機器や、血圧計及び血液分析器等の医療測定機器等の、特定行動のために利用する施設の設備機器においても作成されて管理装置へ伝送され、管理装置ではこれらの行動データが利用者ごとに整理されて蓄積される。このため、特定の行動イベントのデータを携帯端末のみに頼ることなく円滑かつ確実に管理装置で収集することができ、しかも管理装置において的確に管理することができる。また、携帯端末と測定機器との間の位置関係や伝送インタフェースの不具合等により携帯端末と各測定機器との間でデータ転送を行えない場合にも、測定データを管理装置に伝送することが可能となる。
【００１５】
上記第２の行動データを作成する手法として、次の各種手法を提案する。
第１の手法は、特定の行動イベントが運動の場合に、利用者の運動メニュー及び運動計測データに関する情報を、携帯端末が運動施設の設備機器から取得し、この取得された情報と、予め用意されている運動メニューごとの単位消費カロリ量とから消費カロリ量を算出する。そして、この算出された消費カロリ量を上記取得された情報と共に第２の行動データに含めるものである。
【００１６】
第２の手法は、特定の行動イベントが医療検診の場合に、利用者の検診メニュー及び検診データに関する情報を、携帯端末が医療施設の設備機器から取得し、この取得された情報を第２の行動データを含めるものである。
【００１７】
第３の手法は、行動イベントが食事の場合に、利用者の食事メニューに対応する摂取カロリ量及び栄養価に関する情報を、携帯端末が食事施設の設備機器から取得し、この取得された情報を第２の行動データに含めるものである。
【００１８】
これらの手法によればいずれも、特定の行動イベントに係わる情報を一旦携帯端末に取り込むことができる。このため、携帯端末において、運動メニューごとの単位消費カロリ量のように利用者ごとの設定データをもとに利用者個々の行動データを作成することが可能となり、これによりさらに正確な健康管理を行うことが可能となる。
【００１９】
また第１及び第２の発明は、利用者の携帯端末或いは当該利用者の健康管理者が所有する端末から管理装置に対し開示要求を伝送し、この伝送された開示要求の内容に応じた健康管理データを要求元の端末へ通知することも特徴とする。このようにすると、利用者本人ばかりでなく当該利用者の家族や主治医等の健康管理者も利用者の健康管理データを入手することが可能となり、しかも開示要求の内容に応じた所望のデータを入手することが可能となる。
【００２０】
さらに第１及び第２の発明は、開示要求元の端末への健康管理データの送信を契機に、予め記憶してある利用者の決済情報をもとに該当する利用者に対する利用料金の課金処理を行うことも特徴とする。このようにすると、利用者が健康管理データを利用したときに自動的に課金を行うことができる。
【００２１】
【発明の実施の形態】
図１は、この発明の一実施形態に係わる健康管理方法を実施する通信ネットワークシステムの概略構成図である。この通信ネットワークシステムは、例えば企業或いは企業グループにより事業所又はオフィスビル等に構築される。
【００２２】
同図において１は利用者端末であり、例えば従業員が携帯する携帯電話機やＰＨＳ（Ｐｅｒｓｏｎａｌ  Ｈａｎｄｙｐｈｏｎｅ  Ｓｙｓｔｅｍ）端末、ＰＤＡ（Ｐｅｒｓｏｎａｌ  Ｄｉｇｉｔａｌ  Ａｓｓｉｓｔａｎｔｓ）等の携帯端末により構成される。利用者端末１は通信機能を備え、データセンタ６との間で例えば構内通信ネットワークを介して種々データの伝送が可能となっている。構内通信ネットワークには、例えば構内ＰＨＳのネットワークや無線ＬＡＮ（Ｌｏｃａｌ  Ａｒｅａ  Ｎｅｔｗｏｒｋ）が用いられる。
【００２３】
また、７は位置情報特定機器であり、事業所又はオフィスビル内に分散配置される。この位置情報特定機器７は、利用者端末１に対し当該利用者端末の位置を測定するための信号を送信する。
【００２４】
事業所又はオフィスビル内に設けられた、診療所等の医療施設、食堂や喫茶室等の食事施設、スポーツジムや体育館等の運動施設には、それぞれ医療機器２、栄養価測定機器３及び運動機器４が設置されている。これらの機器２，３，４はいずれも、利用者端末インタフェース及び通信インタフェースを備える。そして、利用者端末インタフェースにより上記利用者端末１との間で計測データの転送を行うと共に、上記通信インタフェースにより構内通信ネットワークを介してデータセンタ６との間でデータの伝送が可能となっている。
【００２５】
データセンタ６は、従業員が携帯するすべての利用者端末１と、上記医療機器２、栄養価測定機器３及び運動機器４とに対し、構内通信ネットワークを介して接続可能である。またそれと共に、診療所の医師等が所有する閲覧者端末５に対しても構内通信ネットワークを介して接続可能となっている。閲覧者端末５には、例えばパーソナル・コンピュータが用いられる。データセンタ６はさらに、金融機関のホストコンピュータ８に対し、公衆通信ネットワークを介して接続可能となっている。
【００２６】
ところで、上記利用者端末１、医療機器２、栄養価測定機器３、運動機器４、データセンタ６及び位置情報特定機器７はそれぞれ以下のように構成される。
先ず利用者端末１は、図２に示すように筐体１０の正面部に例えば液晶表示器からなる情報表示機能１３を設け、かつ上端部にアンテナ１７を取着すると共に、下端部に外部インタフェース１５を設けたものからなっている。
【００２７】
図３は利用者端末１の機能構成を示すブロック図であり、制御機能１１と、通信機能１２と、情報表示機能１３と、情報蓄積機能１４と、外部インタフェース１５と、位置情報計測機能１６と、アンテナ１７とを備え、さらに個人情報テーブルＤＢ１１及び基礎情報テーブルＤＢ１２を備えている。
【００２８】
外部インタフェース１５は、外部機器との接続に用いられる。接続対象の外部機器としては、上記医療機器２、栄養価測定機器３、運動機器４及び位置情報特定機器７を想定するが、他にもＩＣカード読み取り機や、キーボード、ペン入力機器等も接続対象とする。位置情報計測機能１６は、制御機能１１の制御の下、上記外部インタフェース１５から入力された位置報知信号から、利用者端末１の絶対位置を計算する。
【００２９】
情報蓄積機能１４は、制御機能１１の制御の下、利用者の個人情報Ｕ１及び基礎情報Ｕ２を管理するもので、これらの個人情報Ｕ１及び基礎情報Ｕ２をそれぞれ個人情報テーブルＤＢ１１及び基礎情報テーブルＤＢ１２に格納する。
【００３０】
図４は個人情報Ｕ１の一例を示すもので、利用者を特定する識別情報（利用者ＩＤ）の他に、氏名、生年月日、血液型、身長、体重、歩幅平均等の属性情報が含まれている。なお、利用者ＩＤのデータ構造やサイズには特に制限を設けていない。また利用者ＩＤは、データセンタ６が利用者に対して付与するものであってもよいし、利用者端末１が固有に持つ電話番号や機器番号等であってもよい。図５は基礎情報Ｕ２の一例を示すもので、利用者の想定される様々な行動イベントごとの単位時間当たりの消費カロリ量が記述されている。なお、この例では１分当たりの消費カロリ量としているが、単位時間は利用者の設定によって任意に調整可能である。
【００３１】
情報表示機能１３は、上記個人情報Ｕ１及び基礎情報Ｕ２の表示と、データセンタ６からダウンロードした利用者自身の健康管理データを表示するために使用される。なお、この情報表示機能１３をタブレット構成として、入力機能を持たせることも可能である。
【００３２】
制御機能１１は例えばＣＰＵを備え、利用者の行動イベントを表す行動履歴情報を作成する。この行動履歴情報には、上記外部インタフェース１５から入力された計測データと、当該計測データ及び上記基礎情報をもとに計算して求めたカロリデータと、利用者の識別情報等が含められる。通信機能１２は、上記制御機能１１の制御の下、上記制御機能１１により作成された行動データを無線信号に変換してアンテナ１７からデータセンタ６へ向け送信する。なお、通信機能１２としては、赤外線など電波以外の通信媒介も想定している。
【００３３】
図６は、医療機器２の機能構成を示すブロック図である。
医療機器２は、計測機能２１と、生体インタフェース２２と、通信機能２３と、利用者端末インタフェース２４と、情報蓄積機能２５と、情報表示機能２６とを備えている。
【００３４】
利用者端末インタフェース２４は、無線回線又は接続ケーブル等を介して利用者端末１との間でデータの授受を行う。無線回線としては例えばＢｌｕｅｔｏｏｔｈ（商標）等の小電力無線データ伝送方式が好適である。また赤外線等を使用した他のデータ通信方式を使用することも可能である。通信機能２３は、無線ＬＡＮ等の構内通信ネットワークを介してデータセンタ６との間で測定データ及び検査データの伝送を行う。
【００３５】
生体インタフェース２２は、利用者の身体或いは体内に接触して生体情報を収集する。計測機能２１は例えばＣＰＵを備え、生体インタフェース２２を介して収集された生体情報の測定及び分析処理を行う。そして、身長、体重及び血圧等のように測定結果が即時得られる測定データについては、上記利用者端末インタフェース２４を介して利用者端末１へ伝送する。なお、上記測定データを通信機能２３からデータセンタ６へ直接伝送することも可能である。
【００３６】
また計測機能２１は、血液検査や尿検査等のように検査結果が得られるまでに時間を要する検査を行う場合には、測定データを情報蓄積機能２５に順次蓄積し、この蓄積された測定データを分析することで検査データを得る。そして、検査終了後に、得られた検査データを上記通信機能２３からデータセンタ６へ送信する。情報表示機能２６は例えば液晶表示器からなり、上記測定中、測定後或いは検査終了後に、上記測定データ及び検査データを表示するために用いられる。また、通信動作等の医療機器２の動作に係わる他の情報を表示することも可能である。
【００３７】
図７は、栄養価測定機器３の機能構成を示すブロック図である。
栄養価測定機器３は、栄養価情報管理機能３１と、通信機能３２と、情報表示機能３３と、利用者端末インタフェース３４とを備える。
【００３８】
利用者端末インタフェース３４は、先に述べた医療機器２の利用者端末インタフェース２４と同様に、無線回線又は接続ケーブル等を介して利用者端末１との間でデータの授受を行う。通信機能３２も、医療機器２の通信機能２３と同様に、無線ＬＡＮ等の構内通信ネットワークを介してデータセンタ６との間でデータの伝送を行う。
【００３９】
栄養価情報管理機能３１は、食堂等が提供するすべての食事メニューについての栄養素分布及びカロリ値に関する栄養価情報を記憶部に記憶することにより管理している。そして、利用者が選択した食事メニューについての栄養価情報を上記記憶部から選択的に読み出し、この読み出された栄養価情報を上記利用者端末インタフェース３４から利用者端末１へ送信する。なお、上記栄養価情報は、通信機能３２によりデータセンタ６へ直接送信することも可能である。情報表示機能３３は、食事メニューの選択前及び選択後に、上記栄養価情報管理機能３１が読み出した食事メニューの栄養価情報を表示するために使用される。
【００４０】
図８は、運動機器４の機能構成を示すブロック図である。
運動機器４は例えばエアロバイクからなり、計測機能４１と、動力伝達部４２と、通信機能４３と、利用者端末インタフェース４４と、情報蓄積機能４５と、情報表示機能４６とを備えている。
【００４１】
利用者端末インタフェース４４は、先に述べた医療機器２及び栄養価測定機器３の利用者端末インタフェース２４，３４と同様に、無線回線又は接続ケーブル等を介して利用者端末１との間でデータの授受を行う。通信機能４３も、医療機器２及び栄養価測定機器３の通信機能２３，３２と同様に、無線ＬＡＮ等の構内通信ネットワークを介してデータセンタ６との間でデータの伝送を行う。
【００４２】
動力伝達部４２は、利用者が機器を動かす動力を電気信号に変換して計測機能４１に伝える。計測機能４１は例えばＣＰＵを有し、上記動力伝達部４２から伝達された電気信号の値をもとに運動時間や運動量等の測定データを算出する。その際、所定の時間を要する運動については、運動中に得られる測定値を情報蓄積機能４５に順次蓄積し、運動終了後に上記蓄積された測定値をもとに測定データの算出を行う。なお、上記測定値をもとに消費カロリを算出することも可能である。
【００４３】
そして計測機能４１は、運動終了後に上記運動時間や運動量等の測定データを利用者端末インタフェース４４から利用者端末１へ送信する。また、上記測定データは通信機能４３からデータセンタ６へ直接送信することも可能である。情報表示機能４６は例えば液晶表示器からなり、上記測定データ等の表示に使用される。
【００４４】
図９は、データセンタ６の機能構成を示す機能ブロック図である。
データセンタ６は、制御処理機能として、情報収集機能６１と、通信機能６２と、情報蓄積機能６３と、情報開示機能６４と、情報統合方針決定機能６５と、課金決済機能６６と、決済ゲートウエイ（ＧＷ）機能６７とを備えている。またデータベースとして、行動履歴情報データベースＤＢ６１と、関連情報データベースＤＢ６２と、統合方針情報データベースＤＢ６３と、決済情報データベースＤＢ６４とを備えている。
【００４５】
通信機能６２は、無線ＬＡＮ等の構内通信ネットワークを介して、前記利用者端末１、医療機器２、栄養価測定機器３及び運動機器４との間でデータの送受信を行う。情報収集機能６１は、上記通信機能６２を用いて上記利用者端末１、医療機器２、栄養価測定機器３及び運動機器４から行動履歴情報とその関連情報としての各種測定データを収集する。情報蓄積機能６３は、上記収集された行動履歴情報及び関連情報を利用者別に整理した上で、それぞれ行動履歴情報データベースＤＢ６１及び関連情報データベースＤＢ６２に保管する。
【００４６】
図１０に、上記行動履歴情報データベースＤＢ６１及び関連情報データベースＤＢ６２に保管された各行動履歴情報Ｌ１及び関連情報Ｌ１１〜Ｌ１５の一例を示す。各行動履歴情報Ｌ１はそれぞれ、イベントの実行時刻を表すタイムスタンプと、行動地点を表す情報と、イベントの識別情報とから構成される。また、食事イベントの関連情報Ｌ１１は、利用者が選択した食事メニューによる総摂取カロリと栄養素分布とから構成される。運動イベントの関連情報Ｌ１２は、負荷、走行時間及び走行相当距離などの運動量測定データにより構成される。医療検診イベントの関連情報Ｌ１３及びＬ１４，Ｌ１５はそれぞれ、身長及び体重等の測定データ、及び血圧の測定データにより構成される。
【００４７】
情報開示機能６４は、利用者端末１或いは閲覧者端末５から送信される閲覧要求を上記通信機能６２で受信し、当該閲覧要求を情報統合方針決定機能６５に与える。情報統合方針決定機能６５は、上記情報開示機能６４から与えられた閲覧要求に対応する統合方針情報を統合方針情報データベースＤＢ６３から選択的に読み出す。そして、この読み出された統合方針情報に基づいて、上記情報蓄積機能６３を介して上記行動履歴情報データベースＤＢ６１及び関連情報データベースＤＢ６２から統合対象の情報を抽出し、この抽出された情報を加工して上記閲覧要求に対応する健康管理データを作成する。情報開示機能６４は、上記作成された健康管理データを、要求元の利用者端末１又は閲覧者端末５へ通信機能６２から送信する。
【００４８】
図１１は、上記統合方針情報データベースＤＢ６３に格納されている統合方針情報Ｍ１の一例を示すものである。この例では、統合方針情報Ｍ１を自然言語として記述した場合を示しているが、他にルール記述言語のような特別の記述方法を用いることも可能である。
【００４９】
課金決済機能６６は、上記情報収集機能６１による行動履歴情報及び関連情報の情報収集、及び上記情報開示機能６４による閲覧要求に応じた健康管理データの送信を契機として、利用者或いは閲覧者に対する課金決済処理を行う。この課金決済処理では、決済情報データベースＤＢ６４に格納されている決済情報をもとに、決済ＧＷ機能６７を介して金融機関のホストコンピュータ８に対し引き落としの依頼を送信する。金融機関のホストコンピュータ８は、上記引き落としの依頼に応じ、該当する利用者或いは閲覧者の口座から料金を引き落とす処理を実行する。
【００５０】
図１２は、位置情報特定機器７の機能構成を示すブロック図である。
位置情報特定機器７は、情報管理機能７１と、通信機能７２と、絶対位置情報データベースＤＢ７１とを備えている。
【００５１】
絶対位置情報データベースＤＢ７１には、位置情報特定機器７の絶対位置情報Ｐがテーブル化されて格納されている。絶対位置情報Ｐは、例えば図１３に示すように、位置を緯度（単位：度）と、経度（単位：度）と、海抜（単位：ｍ）とからなる三次元情報で表している。また属性情報として、位置情報特定機器７の設置地点の住所と場所を表す情報が含まれている。場所を表す情報は、設置地点の建物名やフロア等により表される。情報管理機能７１は、上記絶対位置情報Ｐを管理する。
【００５２】
通信機能７１は、位置情報特定機器７を含む所定のエリア内に存在する利用者端末１に対し、位置情報特定機器７の絶対位置情報Ｐを送信する。図１４は、上記位置情報特定機器７の設置状態と利用者端末１との位置関係の一例を示すもので、位置情報特定機器７は例えば支持ポールに取着されている。位置情報特定機器７は、人間が通行する通路などに一定の間隔で設置されている。設置間隔は機器間で絶対位置情報が干渉し合わない距離に設定されている。
【００５３】
利用者端末１は、上記位置情報特定機器７の設置位置を通過するごとに、当該位置情報特定機器７が送信している絶対位置情報Ｐを外部インタフェース１５を介して位置情報計測機能１６で受信する。そして、この受信された絶対位置情報Ｐから例えば図１５に示すように絶対時刻Ｔ１，Ｔ２と絶対位置Ｐ１，Ｐ２を求める。
【００５４】
次に、以上のように構成されたシステムにおいて実施される利用者の健康管理方法を説明する。
（１）日常の生活行動におけるイベントの計測と行動履歴の送信
利用者が事業所内或いはオフィス内を移動している最中に、利用者端末１は図１６に示すようにステップＳＴ１１において、利用者の生活行動についてイベントの種別判定と行動データの測定を行っている。
【００５５】
図１７はその処理手順と処理内容を示すフローチャートである。利用者端末１は、ステップＳＴ１１１により、位置情報特定機器７が送信している絶対位置情報Ｐを受信して、この受信された絶対位置情報Ｐから絶対時刻Ｔ１，Ｔ２及び絶対位置Ｐ１，Ｐ２を求める。
【００５６】
図１８は、上記絶対時刻Ｔ１，Ｔ２及び絶対位置Ｐ１，Ｐ２の計測シーケンスを示すものである。利用者端末１は、先ず位置情報特定機器７に対しステップＳＴ１１１１により受信確認要求を送信し、ステップＳＴ１１１２において受信確認を受信する。そして、ステップＳＴ１１１３により二点間の相対位置（距離と位相）を算出する。続いて利用者端末１は、ステップＳＴ１１１４において位置情報特定機器７に対し絶対位置情報の取得要求を送信し、ステップＳＴ１１１５により絶対位置情報Ｐを取得する。そして、ステップＳＴ１１１６において絶対位置Ｐ１，Ｐ２を計算する。
【００５７】
次に利用者端末１は、図１７のステップＳＴ１１２に移行し、ここで個人情報テーブルＤＢ１１から利用者の歩幅情報を読み出して、（Ｐ２−Ｐ１）／歩幅を計算することにより歩数を算出する。そしてステップＳＴ１１３により、（Ｐ２−Ｐ１）／（Ｔ２−Ｔ２）を計算することで移動速度Ｖ１を算出する。
【００５８】
上記移動速度Ｖ１が算出されると利用者端末１は、続いてステップＳＴ１１４により、上記移動速度Ｖ１に応じた消費カロリ量を算出する。図１９はこの移動速度Ｖ１に応じた消費カロリ量の算出手順とその内容を示すフローチャートである。
【００５９】
同図において利用者端末１は、先ずステップＳＴ１１４１，ステップＳＴ１１４３，ステップＳＴ１１４５により上記移動速度Ｖ１を歩行速度、早歩き速度及びランニング速度の各しきい値と順次比較することで、このときの利用者の移動形態が「歩行」であるか、「早歩き」であるか、さらには「ランニング」であるかを判定する。そして、移動形態が「歩行」であれば、ステップＳＴ１１４２で上記基礎情報テーブルＤＢ１２から「歩行」時の基礎消費カロリ量（ＣＢ１＝３ｋｃａｌ）を選択的に読み出す。また、移動形態が「早歩き」であれば、ステップＳＴ１１４４で上記基礎情報テーブルＤＢ１２から「早歩き」時の基礎消費カロリ量（ＣＢ１＝６ｋｃａｌ）を選択的に読み出す。同様に、移動形態が「ランニング」であれば、ステップＳＴ１１４６で上記基礎情報テーブルＤＢ１２から「ランニング」時の基礎消費カロリ量（ＣＢ１＝１３ｋｃａｌ）を選択的に読み出す。そして、ステップＳＴ１１４７において、上記読み出された基礎消費カロリ量ＣＢ１と、移動時間（Ｔ２−Ｔ１）とから、当該移動により消費したカロリ量ＴＣ１を算出する。
【００６０】
上記利用者の生活行動の一つである移動というイベントに対する計算処理が終了すると、利用者端末１は次にステップＳＴ１２に移行し、ここで上記算出された消費カロリ量ＴＣ１を、移動時刻（タイムスタンプ）Ｔ１，Ｔ２、地点Ｐ１，Ｐ２及びイベント名に対応付けて一旦記憶する。かくして、上記利用者の移動イベントに対する行動履歴情報が作成される。図２０はこの行動履歴情報の一例を示すもので、イベント「歩行」における消費カロリ量Ｌ２１，Ｌ２２が関連情報として行動履歴情報Ｌ２に挿入される。なお、上記行動履歴情報Ｌ２は情報表示機能１３に表示される。
【００６１】
上記行動履歴情報Ｌ２が作成されると、利用者端末１は続いてステップＳＴ１３により、上記作成された行動履歴情報Ｌ２を通信機能１２によりデータセンタ６に向け送信する。なお、上記行動履歴情報Ｌ２には利用者又は利用者端末１の識別情報（利用者ＩＤ）が付加される。この利用者ＩＤによりデータセンタ６は、受信された行動履歴情報Ｌ２を利用者ごとに整理して蓄積することが可能となる。
【００６２】
またデータセンタ６は、上記行動履歴情報Ｌ２が受信されると、ステップＳＴ１４において当該利用者に対する認証と課金処理を以下のように行う。図３６は、この利用者認証及び課金処理の処理手順と処理内容を示すフローチャートである。
【００６３】
すなわち、先ずステップＳＴ６１で受信された利用者ＩＤをもとに利用者の認証を行う。そして、この認証により正当性が確認されると、続いてステップＳＴ６２により上記利用者ＩＤをもとに決済情報データベースＤＢ６４から該当する利用者情報Ｓ１を読み出す。図３５に決済情報Ｓ１の一例を示す。次に利用者端末１は、ステップＳＴ６３で料金計算を行ったのち、ステップＳＴ６４により現時点が事前に設定された決済の契機か否かを判定する。そして、決済の契機であれば、ステップＳＴ６５に移行してここで課金料金を集計し、集計された請求料の引き落とし依頼を決済ＧＷ機能６７から金融機関のホストコンピュータ８へ送る。
【００６４】
（２）医療検診イベントにおける計測と行動履歴情報の送信
ここでは、医療検診イベントの一つとして、利用者が血圧の測定を行う場合を例にとって説明する。図２１はこの場合の概念を示すもので、利用者端末１は医療機器２との間で測定データの伝送が可能なように医療機器２の近くに配置される。
【００６５】
図２２は、上記医療検診イベントにおける計測及び行動履歴情報の送信シーケンスを示す図である。医療機器２では、ステップＳＴ２１により利用者の血圧測定が行われる。そして、測定データが得られると、この測定データはステップＳＴ２２により利用者端末インタフェース２４を介して利用者端末１に送られる。なお、上記測定データは通信機能２３により直接データセンタ６へ送信することも可能である。
【００６６】
利用者端末１は、医療機器２から測定データを受信すると、先ずステップＳＴ２３により、上記受信された測定データをもとに個人情報テーブルＤＢ１１に格納されている個人情報Ｕ１の該当項目を更新する。更新対象項目としては、平常時の血圧値の他、身長や体重などがある。次に利用者端末１は、ステップＳＴ２４により、上記血圧の測定データを、測定時刻を示すタイムスタンプと、測定地点を表す情報と、イベント名を表す情報と対応付けて一旦記憶する。かくして、医療検診イベントにおける行動履歴情報が作成される。図２３にこの作成された行動履歴情報の一例を示す。同図に示すように上記血圧の測定データは、関連情報Ｌ３１，Ｌ３２として行動履歴情報Ｌ３に挿入される。
【００６７】
上記行動履歴情報Ｌ３が作成されると、利用者端末１は続いてステップＳＴ２５により、上記行動履歴情報Ｌ３を利用者ＩＤと共に通信機能１２からデータセンタ６に向け送信する。なお、上記行動履歴情報Ｌ３は情報表示機能１３に表示することも可能である。
【００６８】
データセンタ６は上記行動履歴情報Ｌ３を受信すると、この行動履歴情報Ｌ３とその関連情報Ｌ３１，Ｌ３２としての血圧測定データをそれぞれ、利用者ＩＤごとに整理した上で行動履歴情報データベースＤＢ６１，ＤＢ６２に格納する。また、それと共にステップＳＴ２６において、上記行動履歴情報Ｌ３の受信を契機にして利用者認証と課金処理を行う。なお、この利用者認証と課金処理は、前記生活行動イベントの場合と同様に図３６にて述べた手順と内容により行われる。
【００６９】
（３）食事イベントにおける計測と行動履歴情報の送信
図２４はこの食事イベントにおける計測動作の概念を示すものである。食堂には栄養価測定機器３が設置されており、利用者は自身が選択した食事メニューをこの栄養価測定機器３に入力する。また、栄養価測定機器３の近くに利用者端末１を配置し、これにより栄養価測定機器３から利用者端末１へ栄養価情報の伝送を可能にする。
【００７０】
図２５は、上記食事イベントにおける計測及び行動履歴情報の送信シーケンスを示す図である。同図において、利用者端末１は先ずステップＳＴ３１により、栄養価測定機器３に対し測定データの読み取り要求を送る。栄養価測定機器３は、利用者によって選択入力された食事メニューに対応する栄養価情報を読み出し、この読み出された栄養価情報を利用者端末インタフェース３４から利用者端末１へ送信する。
【００７１】
利用者端末１は上記栄養価情報を受信すると、ステップＳＴ３２により、上記受信された栄養価情報を、食事時刻を示すタイムスタンプと、食事施設の地点を表す情報と、イベント名を表す情報と対応付けて一旦記憶する。かくして、食事イベントにおける行動履歴情報が作成される。図２６にこの作成された行動履歴情報の一例を示す。同図に示すように上記栄養価情報は関連情報Ｌ４１として行動履歴情報Ｌ４に挿入される。栄養価情報には、メニューの詳細、総カロリ量、各栄養素の分布量が含まれる。
【００７２】
上記行動履歴情報Ｌ４が作成されると、利用者端末１は続いてステップＳＴ３３により、上記行動履歴情報Ｌ４を利用者ＩＤと共に通信機能１２からデータセンタ６に向け送信する。なお、上記行動履歴情報Ｌ４は情報表示機能１３に表示することも可能である。
【００７３】
データセンタ６は上記行動履歴情報Ｌ４を受信すると、この行動履歴情報Ｌ４とその関連情報Ｌ４１としての測定データをそれぞれ、利用者ＩＤごとに整理した上で行動履歴情報データベースＤＢ６１，ＤＢ６２に格納する。また、それと共にステップＳＴ３４において、上記行動履歴情報Ｌ４の受信を契機にして利用者認証と課金処理を行う。なお、この利用者認証と課金処理は、前記生活行動イベントや医療検診イベントの場合と同様、図３６にて述べた手順と内容により行われる。
【００７４】
（４）運動イベントにおける計測と行動履歴情報の送信
図２７はこの運動イベントにおける計測動作の概念を示すものである。運動機器４には、計測機能４１等を内蔵する制御部４０が付設されている。この制御部４０の近くには利用者の利用者端末１が配置され、これにより制御部４０から利用者端末１へ運動データの伝送を可能にする。
【００７５】
図２８は、上記運動イベントにおける計測及び行動履歴情報の送信シーケンスを示す図である。利用者が運動機器４を使用して運動を行うと、運動機器４の計測機能４１ではステップＳＴ４１において運動データの計測が行われる。図２９はこの運動データの計測処理手順と処理内容を示すフローチャートである。
【００７６】
計測機能４１は、運動の開始に先立ち利用者が設定した負荷及び運動回数或いは時間をそれぞれステップＳＴ４１１，４１２により取り込んで記録する。そして、運動が開始されると、先ずステップＳＴ４１３により計測開始時刻を記録し、続いてステップＳＴ４１５において運動回数或いは時間が設定値に達したか否かをチェックしながら、ステップＳＴ４１４により利用者の運動回数又は時間を計測する。
【００７７】
そして、利用者の運動回数又は時間が設定値に達すると、ステップＳＴ４１６に移行して運動終了時刻を記録し、しかるのちステップＳＴ４１７，４１８によりそれぞれ運動量及び消費カロリを計算する。かくして、運動負荷、計測開始時刻、計測終了時刻、相当走行距離、運動量及び消費カロリを含む運動データが得られる。運動データが得られると運動機器４は、ステップＳＴ４２により上記得られた運動データを利用者端末インタフェース４４から利用者端末１へ送信する。
【００７８】
利用者端末１は、運動機器４から運動データを受信すると、ステップＳＴ４３により、上記受信された運動データを、運動開始時刻を示すタイムスタンプと、運動施設の地点を表す情報と、イベント名を表す情報に対応付けて一旦記憶する。かくして、運動イベントにおける行動履歴情報が作成される。図３０にこの作成された行動履歴情報の一例を示す。同図に示すように上記運動データは関連情報Ｌ５１として行動履歴情報Ｌ５に挿入される。
【００７９】
上記行動履歴情報Ｌ５が作成されると、利用者端末１は続いてステップＳＴ４４により、上記行動履歴情報を利用者ＩＤと共に通信機能１２からデータセンタ６に向け送信する。なお、上記行動履歴情報は情報表示機能１３に表示することも可能である。
【００８０】
データセンタ６は上記行動履歴情報Ｌ５を受信すると、この行動履歴情報Ｌ５とその関連情報Ｌ５１としての運動データをそれぞれ、利用者ＩＤごとに整理した上で行動履歴情報データベースＤＢ６１，ＤＢ６２に格納する。また、それと共にステップＳＴ４５において、上記行動履歴情報の受信を契機にして利用者認証と課金処理を行う。なお、この利用者認証と課金処理は、前記生活行動イベントや医療検診イベント、食事イベントの場合と同様、図３６にて述べた手順と内容により行われる。
【００８１】
（５）健康管理データの作成と閲覧
図３１は、健康管理データの作成と閲覧処理シーケンスを示す図である。
健康管理データの閲覧を希望する者としては、例えば利用者本人、或いは主治医や保健士等の利用者の健康を管理者する立場にある閲覧者が想定される。
【００８２】
例えばいま閲覧者端末５が、ステップＳＴ５１によりデータセンタ６Ｓに対し情報閲覧要求を送信したとする。そうするとデータセンタ６は、上記閲覧要求の内容に基づきステップＳＴ５２により行動履歴情報の加工統合処理を行う。
【００８３】
図３２は、この行動履歴情報の加工統合処理手順と処理内容を示すフローチャートである。データセンタ６は、先ずステップＳＴ５２１により、情報閲覧要求の解析を行う。そして、ステップＳＴ５２２により、その要求に必要な統合方針情報Ｍ１を統合方針情報データベースＤＢ６３から選択的に読み出す。続いて、ステップＳＴ５２３により、上記読み出された統合方針情報Ｍ１に基づいて、該当する行動履歴情報及びその関連情報をそれぞれ行動履歴情報データベースＤＢ６１及び関連情報データベースＤＢ６２から選択的に抽出して統合する。
【００８４】
図３３は、情報閲覧要求と行動履歴情報及び統合方針情報との関係の一例を示すものである。ここでは、「一日の摂取カロリの総計」が見たいという閲覧要求Ｒ１が到来した場合を例示している。この閲覧要求Ｒ１に応じて、統合方針情報データベースＤＢ６３からは、
「一日の摂取カロリ量の総計は、行動履歴情報の「食事イベント」の関連情報から『カロリ量』を抽出し、合計して求める。」
と云う統合方針情報Ｍ１が読み出される。
【００８５】
この統合方針情報Ｍ１に応じて、行動履歴情報データベースＤＢ６１から一日分の「食事イベント」に該当する行動履歴情報がそれぞれ抽出され、さらにこの抽出された各「食事イベント」の関連情報Ｌ１０１，Ｌ１０２，Ｌ１０３が関連情報データベースＤＢ６２から読み出される。そして、この読み出された関連情報Ｌ１０１，Ｌ１０２，Ｌ１０３に含まれる摂取カロリ量が合算され、これにより一日の摂取カロリ量の総計が求められる。
【００８６】
最後に、上記各食事イベントの摂取カロリ量と、上記求められた一日の摂取カロリ量の総計と、個人情報に基づいた利用者に対するアドバイス情報とからなる健康管理データが作成される。
【００８７】
次にデータセンタ６は、ステップＳＴ５３により、上記作成された健康管理データを閲覧要求元の閲覧端末５へ送信する。閲覧端末５では、上記伝送された健康管理データを情報表示機能に表示する。図３４は上記健康管理データの表示例を示すものである。なお、健康管理データの表示形態は、閲覧者の要求に応じてグラフ表示にしたり、また前日以前の健康管理データと比較できるような形態に編集して表示することも可能である。
【００８８】
最後にデータセンタ６は、上記健康管理データの送信終了後に、ステップＳＴ５４において利用者認証と課金処理を行う。なお、この利用者認証と課金処理は、前記生活行動イベントや医療検診イベント、食事イベント、運動イベントの行動履歴情報を受信した場合と同様、図３６にて述べた処理手順と処理内容により行われる。
【００８９】
以上述べたようにこの実施形態では、利用者端末１において、その移動速度から日常の生活行動イベントを判定してこの判定された生活行動イベントの行動履歴情報をデータセンタ６に伝送する。またそれと共に、医療機器２、栄養価測定機器３及び運動機器４によりそれぞれ利用者に関する医療検診データ、栄養価測定データ及び運動測定データを得て利用者端末１に転送し、利用者端末１でこれらの測定データをもとにそれぞれ医療検診イベント、食事イベント及び運動イベントの行動履歴情報を作成してデータセンタ５に伝送する。そして、データセンタ６において、上記伝送された生活行動イベントの行動履歴情報、及び医療検診イベント、食事イベント及び運動イベントの各行動履歴情報を利用者ごとに整理して蓄積し、利用者端末１又は閲覧者端末５からの閲覧要求に対応する統合方針情報に基づいて該当する行動履歴情報を抽出して健康管理データを作成して要求元の端末へ送信するようにしている。
【００９０】
したがって、利用者の日常の生活行動イベントにおける行動履歴情報と、医療検診や食事、運動等の特定の行動イベントにおける行動履歴情報がそれぞれ自動的に作成されてデータセンタ６に送られて管理される。このため、特に運動や医療検診等を定期的に行っていない利用者に対して、利用者の日常の生活行動に即したより正確な健康管理データを作成してアドバイスすることが可能となり、さらに運動や医療検診等の特定の行動イベントを意識的に行っている利用者に対しては、この特定の行動イベントによる行動データも加味して、より一層正確な健康管理データを作成しアドバイスすることが可能となる。
【００９１】
また、医療機器２、栄養価測定機器３及び運動機器４において得られた測定データを、それぞれの通信機能を使用してデータセンタ６に直接伝送できるようにしている。このため、測定機器においてリアルタイムに得られない測定データ等を利用者端末１を頼ることなくデータセンタ６に伝送することができる。また、利用者端末の位置や利用者端末インタフェースの不具合等が原因となって測定機器と利用者端末１との間のデータ転送を行えない場合にも、測定データをデータセンタに伝送することができる。
【００９２】
なお、この発明は上記実施形態に限定されるものではない。例えば、各測定機器において、利用者端末との間のデータ転送が可能か否かを判定し、可能な場合には測定データを利用者端末へ転送し、一方不可能な場合には利用者端末を介さずに測定データをデータセンタへ直接伝送するように構成するとよい。このようにすると、各測定機器と利用者端末との間のデータ転送路の状態に関係なく、測定データをもれなくデータセンタへ伝送することが可能となる。
【００９３】
また、利用者の日常の生活行動における移動の形態を判定する手段としては、利用者端末に加速度センサを設け、この加速度センサの出力をもとに利用者端末の生活行動イベントの種類を判定するようにしてもよい。このようにすると、通話などに位置情報特定機器を設置する必要がなくなり、本発明の健康管理サービスを安価でかつ簡易に実現できる。
【００９４】
さらに、利用料金の決済については、利用者が企業又は企業グループに所属する社員の場合には請求対象から外し、外部の利用者のみを請求対象とするように設定することも可能である。また、行動履歴情報が受信されるごとに決済を行うと、決済処理が頻繁になって処理負荷が高くなるため、利用者又は閲覧者の要求に応じて健康管理データを送信した場合のみ決済処理するように設定してもよい。
【００９５】
その他、ネットワークシステムの構成、利用者端末の種類やその構成、医療機器、栄養価測定機器、運動機器及びデータセンタの構成、これらの各機器とデータセンタとの間の行動履歴情報の伝送手順とその内容、データセンタにおける健康管理データの作成処理手順とその内容等についても、この発明の要旨を逸脱しない範囲で種々変形して実施できる。
【００９６】
【発明の効果】
以上詳述したように第１の発明では、利用者が所有する携帯端末において、利用者の日常の生活行動のイベントごとにその種別と内容を含む行動データを作成し、この作成された行動データを利用者の識別情報と共に通信ネットワークを介して管理装置へ伝送する。そして、管理装置において、携帯端末から伝送された行動データを利用者に対応付けて蓄積し、この蓄積された行動データをもとに利用者に係わる健康管理データを作成するようにしている。
【００９７】
また第２の発明では、携帯端末において、利用者の日常の生活行動のイベントごとにその種別と内容を含む第１の行動データを作成して、この作成された第１の行動データを利用者の識別情報と共に管理装置へ伝送する。またそれと共に、上記携帯端末、及び利用者が日常の生活行動以外の特定の行動のために利用する施設の設備機器の少なくとも一方において、上記特定の行動のイベントごとにその種別と内容を含む第２の行動データを作成して、この作成された第２の行動データを利用者の識別情報と共に管理装置へ伝送する。そして、管理装置において、上記伝送された第１及び第２の行動データを利用者に対応付けてそれぞれ蓄積し、この蓄積された第１及び第２の行動データをもとに利用者に係わる健康管理データを作成するようにしている。
【００９８】
したがってこれらの発明によれば、利用者の日常の生活行動に即したより正確な健康管理を可能にし、より多くの利用者が利用することが可能な、通信ネットワークを利用する健康管理方法及び管理装置を提供することができる。
【図面の簡単な説明】
【図１】この発明の一実施形態に係わる健康管理方法を実施する通信ネットワークシステムの概略構成図。
【図２】利用者端末の外観を示す斜視図。
【図３】利用者端末の機能構成を示すブロック図。
【図４】利用者の個人情報の一例を示す図。
【図５】利用者の基礎情報の一例を示す図。
【図６】医療機器の機能構成を示すブロック図。
【図７】栄養価測定機器の機能構成を示すブロック図。
【図８】運動機器の機能構成を示すブロック図。
【図９】データセンタの機能構成を示すブロック図。
【図１０】行動履歴情報及び関連情報の一例を示す図。
【図１１】統合方針情報の一例を示す図。
【図１２】位置情報特定機器の機能構成を示すブロック図。
【図１３】絶対位置情報の一例を示す図。
【図１４】位置特定動作の一例を説明するための図。
【図１５】二点間の移動検出動作の一例を説明するための図。
【図１６】日常の生活行動のイベントにおける計測及び送信シーケンスを示す図。
【図１７】生活行動イベントの計測処理手順と内容を示すフローチャート。
【図１８】絶対時刻及び位置の計測シーケンスを示す図。
【図１９】移動速度に応じた消費カロリの計算処理手順と内容を示すフローチャート。
【図２０】生活行動イベントにおいて作成される行動履歴情報の一例を示す図。
【図２１】医療検診における計測の概念図。
【図２２】医療検診イベントにおける計測及び送信シーケンスを示す図。
【図２３】医療検診イベントにおいて作成される行動履歴情報の一例を示す図。
【図２４】食事イベントにおける計測の概念図。
【図２５】食事イベントにおける計測及び送信シーケンスを示す図。
【図２６】食事イベントにおいて作成される行動履歴情報の一例を示す図。
【図２７】運動イベントにおける計測の概念図。
【図２８】運動イベントにおける計測及び送信シーケンスを示す図。
【図２９】運動データの計測処理手順と内容を示すフローチャート。
【図３０】運動イベントにおいて作成される行動履歴情報の一例を示す図。
【図３１】健康観のデータの閲覧シーケンスを示す図。
【図３２】情報統合処理の手順と内容を示すフローチャート。
【図３３】閲覧要求と行動履歴情報及び統合方針情報の関係を示す図。
【図３４】健康管理データの表示例を示す図。
【図３５】決済情報の一例を示す図。
【図３６】利用者認証及び課金処理の手順と内容を示すフローチャート。
【符号の説明】
１…利用者端末、２…医療機器、３…栄養価測定機器、４…運動機器、５…閲覧者端末、６…データセンタ、７…位置情報特定機器、８…金融機関ホストコンピュータ、１１…利用者端末の制御機能、１２…利用者端末の通信機能、１３…利用者端末の情報表示機能、１４…利用者端末の情報蓄積機能、１５…利用者端末の外部インタフェース、１６…位置情報計測機能、１７…利用者端末のアンテナ、ＤＢ１１…個人情報テーブル、ＤＢ１２…基礎情報テーブル、２１…医療機器の計測機能、２２…生体インタフェース、２３…医療機器の通信機能、２４…医療機器の利用者端末インタフェース、２５…医療機器の情報蓄積機能、２６…医療機器の情報表示機能、３１…栄養価情報管理機能、３２…栄養価測定機器の通信機能、３３…栄養価測定機器の情報表示機能、３４…栄養価測定機器の利用者端末インタフェース、４０…運動機器の制御部、４１…運動機器の計測機能、４２…動力伝達部、４３…運動機器の通信機能、４４…運動機器の利用者端末インタフェース、４５…運動機器の情報蓄積機能、４６…運動機器の情報表示機能、６１…情報収集機能、６２…データセンタの通信機能、６３…データセンタの情報蓄積機能、６４…データセンタの情報開示機能、６５…情報法統号式決定機能、６６…課金決済機能、６７…決済ＧＷ機能、ＤＢ６１…行動履歴情報データベース、ＤＢ６２…関連情報データベース、ＤＢ６３…統合方針情報データベース、ＤＢ６４…決済情報データベース。
【図１】
2004240862.tif 000003
【図２】
2004240862.tif 000004
【図３】
2004240862.tif 000005
【図４】
2004240862.tif 000006
【図５】
2004240862.tif 000007
【図６】
2004240862.tif 000008
【図７】
2004240862.tif 000009
【図８】
2004240862.tif 000010
【図９】
2004240862.tif 000011
【図１０】
2004240862.tif 000012
【図１１】
2004240862.tif 000013
【図１２】
2004240862.tif 000014
【図１３】
2004240862.tif 000015
【図１４】
2004240862.tif 000016
【図１５】
2004240862.tif 000017
【図１６】
2004240862.tif 000018
【図１７】
2004240862.tif 000019
【図１８】
2004240862.tif 000020
【図１９】
2004240862.tif 000021
【図２０】
2004240862.tif 000022
【図２１】
2004240862.tif 000023
【図２２】
2004240862.tif 000024
【図２３】
2004240862.tif 000025
【図２４】
2004240862.tif 000026
【図２５】
2004240862.tif 000027
【図２６】
2004240862.tif 000028
【図２７】
2004240862.tif 000029
【図２８】
2004240862.tif 000030
【図２９】
2004240862.tif 000031
【図３０】
2004240862.tif 000032
【図３１】
2004240862.tif 000033
【図３２】
2004240862.tif 000034
【図３３】
2004240862.tif 000035
【図３４】
2004240862.tif 000036
【図３５】
2004240862.tif 000037
【図３６】
2004240862.tif 000038